(57)【要約】【課題】冷却効率を向上するとともに、小型化を可能にする。【解決手段】筐体１のフロントパネル２及び側板３に吸気口１１〜１３を設けるとともに、天井板５に排気口１４を設け、筐体１の内部にプリント板６，７を設け、フロントパネル２の上端に前方に突出してひさし１６を設ける。【選択図】図１
2006237414.tif 000002
【特許請求の範囲】
【請求項１】
フロントパネル及び側板に吸気口を設けるとともに、天井板に排気口を設け、内部に電子機器を収納した筐体において、フロントパネルの上端に前方に突出したひさしを設けたことを特徴とする筐体の冷却構造。
【請求項２】
フロントパネル及び側板に吸気口を設けるとともに、天井板に排気口を設け、内部に電子機器を収納した複数の筐体を上下方向に間隔をあけて取付枠に取り付けた多段筐体において、各筐体のフロントパネルの上端に前方に突出してケーブルを支持するひさし兼用のケーブルダクトをそれぞれ設けたことを特徴とする多段筐体の冷却構造。
【発明の詳細な説明】
【技術分野】
【０００１】
この発明は、筐体及び多段筐体の冷却構造、特に自然空冷の筐体及び多段筐体の冷却構造に関するものである。
【背景技術】
【０００２】
図３（ａ），（ｂ）は従来の筐体の冷却構造の斜視図及びそのＡ−Ａ線縦断側面図を示し、１は筐体であり、筐体１の前面にはフロントパネル２が設けられるとともに、筐体１の両側部には側板３が設けられ、側板３の前端にはフロントパネル２の両側において取付ブラケット４が設けられ、筐体１の上部には天井板５が設けられる。筐体１内にはプリント板６，７が水平に上下二段に設けられるとともに、後部に電子機器８が設けられ、プリント板６，７の前端上には高発熱コネクタ９，１０が設けられ、高発熱コネクタ９，１０はフロントパネル２に設けられた吸気口１１，１２から突出して設けられる。又、側板３にも吸気口１３が設けられ、天井板５には排気口１４が設けられ、フロントパネル２には表示機器１５も設けられる。
【０００３】
上記構成において、高発熱コネクタ９，１０及び筐体１の内部は、図３（ｂ）に矢印に示すように、吸気口１１〜１３から吸入され、排気口１４から排出される空気により冷却される。冷却効率を上げるためには、吸気口１１〜１３及び排気口１４の面積を増大し、冷却空気の流通量を増大させる必要がある。
【０００４】
なお、この出願の発明に関連する先行技術文献情報としては、他に次のようなものがある。
【特許文献１】特開平５−３３５７６５号公報
【特許文献２】特開平１１−６３５４７号公報
【特許文献３】特開２００１−２５７４９５号公報
【発明の開示】
【発明が解決しようとする課題】
【０００５】
上記した従来の筐体の冷却構造においては、冷却空気は図３（ｂ）の矢印に示すように流れるが、筐体１の内部に流れ込まない空気も多く、またフロントパネル２には高発熱コネクタ９，１０や表示機器１５等が設けられているので、吸気口１１，１２の面積を増大させることも限度があり、吸気口１１〜１３や排気口１４の面積を多少増大させても冷却効果はあまり上がらず、冷却効果を上げることは困難であった。
【０００６】
この発明は上記のような課題を解決するために成されたものであり、冷却効率を向上するとともに、小型化が可能な筐体及び多段筐体の冷却構造を得ることを目的とする。
【課題を解決するための手段】
【０００７】
この発明の請求項１に係る筐体の冷却構造は、フロントパネル及び側板に吸気口を設けるとともに、天井板に排気口を設け、内部に電子機器を収納した筐体において、フロントパネルの上端に前方に突出したひさしを設けたものである。
【０００８】
請求項２に係る多段筐体の冷却構造は、フロントパネル及び側板に吸気口を設けるとともに、天井板に排気口を設け、内部に電子機器を収納した筐体を二つ以上上下方向に間隔をあけて取付枠に取り付けた多段筐体において、各筐体のフロントパネルの上端に前方に突出してケーブルを支持するひさし兼用のケーブルダクトをそれぞれ設けたものである。
【発明の効果】
【０００９】
以上のようにこの発明の請求項１によれば、フロントパネルの上端に前方に突出したひさしを設けており、従来上方に流れていた冷却風がひさしに遮られてフロントパネルの吸気口から筐体内に流入するようになり、冷却効率が向上する。又、吸気口や排気口をあまり大きくしなくても良いので、小型化が可能となる。
【００１０】
又、請求項２によれば、複数の筐体を上下方向に間隔をあけて取付枠に取り付けた多段筐体において、各筐体のフロントパネルの上端に前方に突出してケーブルを支持するひさし兼用のケーブルダクトをそれぞれ設けており、従来上方に流れていた冷却風がひさし兼用のケーブルダクトに遮られてそれぞれのフロントパネルの吸気口から筐体内に流入するようになり、冷却効率が向上する。又、吸気口や排気口をあまり大きくしなくても良いので、小型化が可能となる。
【発明を実施するための最良の形態】
【００１１】
実施最良形態１
以下、この発明を実施するための最良の形態を図面とともに説明する。図１（ａ），（ｂ）はこの発明の実施最良形態１による筐体の冷却構造の斜視図及びそのＢ−Ｂ線縦断側面図を示し、筐体１のフロントパネル２の上端には前方に突出してひさし１６を設ける。その他の構成は従来と同様である。
【００１２】
上記構成において、図１（ｂ）に矢印で示すように、フロントパネル２の吸気口１１，１２においては、上昇した空気はひさし１６により遮られ、吸気口１１，１２から筐体１内に流入する。このため、冷却空気の流通量が増大し、冷却効率が向上する。又、吸気口１１及び排気口１２をあまり大きくしなくても、冷却空気の流通量が得られるので、筐体１の小型化が可能となる。
【００１３】
実施最良形態２
図２（ａ），（ｂ）は実施最良形態２による多段筐体の冷却構造の正面図及び側面図を示し、１は従来同様の筐体であり、フロントパネル２に吸気口１１，１２を有するとともに、側板３に吸気口１３を有する。又、天井板５に排気口１４を有し、内部にはプリント板６，７等の電子機器を有する。二つの筐体１の取付ブラケット４を取付枠１７にボルト１８により取り付けるが、二つの筐体１は上下に間隔をあけて取り付ける。この結果、多段筐体が構成される。又、各筐体１のフロントパネル２の上端位置において前方に突出するようにしてひさし兼用のケーブルダクト１９を取付枠１７にボルト２０により取り付ける。ケーブルダクト１９には筐体１毎にケーブル２１を支持する。
【００１４】
上記構成において、冷却風は吸入口１１〜１３から吸入され、排気口１４から排出されるが、ひさし兼用のケーブルダクト１９を設けたことにより吸気口１１，１２の外側を上方に流れていた冷却風がケーブルダクト１９に遮られて吸気口１１，１２から筐体１内に流入するようになり、冷却空気の流通量が増大して冷却効果が向上する。又、吸入口１１〜１３や排気口１４をあまり大きくする必要がなく、筐体１を小型化することができる。
【図面の簡単な説明】
【００１５】
【図１】この発明の実施最良形態１による筐体の冷却構造の斜視図及びそのＢ−Ｂ線縦断側面図である。
【図２】実施最良形態２による多段筐体の冷却構造の正面図及び側面図である。
【図３】従来の筐体の冷却構造の斜視図及びそのＡ−Ａ線縦断側面図である。
【符号の説明】
【００１６】
１…筐体
２…フロントパネル
３…側板
５…天井板
６，７…プリント板
８…電子機器
９，１０…高発熱コネクタ
１１〜１３…吸気口
１４…排気口
１６…ひさし
１７…取付枠
１９…ひさし兼用ケーブルダクト
２１…ケーブル
【図１】
2006237414.tif 000003
【図２】
2006237414.tif 000004
【図３】
2006237414.tif 000005